(57)【特許請求の範囲】
【請求項１】
携帯端末と決済装置を備え、商品購入の際に割引が受けられる電子クーポンを利用した決済を行う電子クーポン決済システムにおける決済装置であって、
前記電子クーポンに関連する広告情報と、該広告情報に予め割当てられ、該広告情報を一意に識別する広告識別子とを対応付けて記憶する広告情報記憶部と、
前記電子クーポンを一意に識別するクーポン識別子、前記広告識別子、及び割引対象の商品を識別するための割引対象商品識別子を対応付け電子クーポン情報として記憶するクーポン識別子マスタ記憶部と、
入力される決済情報に含まれる決済対象の商品を識別する商品識別子に基づいて決済を行う電子決済部と、
前記クーポン識別子と、前記携帯端末を一意に識別する携帯端末識別子と、を前記携帯端末から受信するリーダライタ通信部と、
前記携帯端末から受信した前記クーポン識別子に対応する前記電子クーポン情報を前記クーポン識別子マスタ記憶部から読み出す電子クーポン情報読出し部と、
前記電子クーポン情報読出し部が読み出す前記電子クーポン情報に含まれる前記広告識別子に対応する前記広告情報を前記広告情報記憶部から読出し、読み出した前記広告情報を表示する関連クーポン情報表示部と、
を備えることを特徴とする決済装置。
【請求項２】
前記携帯端末識別子ごとに前記電子クーポンを配布したか否かの情報を記録する携帯端末識別子マスタ記憶部、
を備え、
前記電子クーポン情報読出し部は、更に、
受信した前記携帯端末識別子を用いて前記携帯端末識別子マスタ記憶部から該携帯端末識別子に対応する前記携帯端末に前記電子クーポンを配布したか否かの配布情報を読み出し、読み出した配布情報に基づいて、前記リーダライタ通信部を経由して関連する前記電子クーポンに含まれる前記クーポン識別子を該携帯端末に送信する、
ことを特徴とする請求項１に記載の決済装置。
【請求項３】
前記携帯端末から受信する前記クーポン識別子は複数存在し、前記クーポン識別子マスタ記憶部から、受信した前記クーポン識別子に対応する前記電子クーポン情報を取得して最適な前記電子クーポン情報を選択する電子クーポン処理部、
を備えることを特徴とする請求項１又は請求項２に記載の決済装置。
【請求項４】
前記電子決済部は、
前記電子クーポン処理部が選択する前記電子クーポンに基づき、前記クーポン割引率情報から割引金額を算出し、算出した割引金額を前記決済情報に含まれる決済金額から減ずる処理を行う、
ことを特徴とする請求項１から請求項３のいずれか１項に記載の決済装置。
【請求項５】
商品購入の際に割引が受けられる電子クーポンを一意に識別するクーポン識別子を記憶する携帯端末と、前記電子クーポンに関連した広告情報と、該広告情報に予め割当てられ、該広告情報を一意に識別する広告識別子とを対応付けて記憶する広告情報記憶部と、商品購入の際に割引が受けられる電子クーポンを一意に識別するクーポン識別子、前記広告識別子、及び割引対象の商品を識別するための割引対象商品識別子を含む電子クーポン情報を記憶するクーポン識別子マスタ記憶部と、を備え、入力される電子決済要求により電子決済を行う決済端末と、を有する電子クーポン決済システムによる電子クーポン決済方法であって、
前記携帯端末から前記クーポン識別子を取得するステップと、
前記クーポン識別子マスタ記憶部から、取得した前記クーポン識別子に対応する前記広告識別子を取得する電子クーポン処理ステップと、
前記電子クーポン処理ステップにより取得した前記広告識別子を用いて、前記広告情報記憶部から前記広告情報を読み出して表示するステップと、
を有することを特徴とする電子クーポン決済方法。
【請求項６】
商品購入の際に割引が受けられる電子クーポンを一意に識別するクーポン識別子を記憶するクーポン記憶部と、
前記クーポン記憶部から前記クーポン識別子を読み出し、読み出した前記クーポン識別子を送信する携帯端末通信部と、
を備える携帯端末と、
前記携帯端末から前記クーポン識別子を受信するリーダライタ通信部と、
前記クーポン識別子に対して、割引の対象となる商品の識別子である割引対象商品識別子と、前記商品の購入価格の割引率を示すクーポン割引率と、前記電子クーポンに関連する広告情報を一意に識別する広告識別子と、を含む電子クーポン情報を記憶するクーポン識別子マスタ記憶部と、
前記携帯端末から受信した前記クーポン識別子に対応する前記電子クーポン情報を前記クーポン識別子マスタ記憶部から読み出し、読み出した前記電子クーポン情報を送信する電子クーポン情報読出し部と、
を備えるリーダライタ装置と、
前記広告識別子に対して前記広告情報を対応付けて記憶する広告情報記憶部と、
入力される決済情報に含まれる前記商品の識別子である商品識別子に基づいて決済を行う電子決済部と、
前記決済リーダライタ装置の電子クーポン情報読出し部から前記電子クーポン情報を受信し、前記商品識別子と一致する前記割引対象商品識別子を有する前記電子クーポン情報に含まれる前記広告識別子を出力する電子クーポン処理部と、
前記電子クーポン処理部が出力した前記広告識別子に対応する前記広告情報を前記広告情報記憶部から読出して表示を行う関連クーポン情報表示部と、
を備える決済装置と、
を備えることを特徴とする電子クーポン決済システム。
【請求項７】
商品購入の際に割引が受けられる電子クーポンを一意に識別するクーポン識別子を記憶するクーポン記憶部と、
前記クーポン記憶部から前記クーポン識別子を読み出し、読み出した前記クーポン識別子を送信する携帯端末通信部と、
を備える携帯端末と、
前記電子クーポンに関連する広告情報と、該広告情報に予め割当てられ、該広告情報を一意に識別する広告識別子と、を対応付けて記憶する広告情報記憶部と、
商品購入の際に割引が受けられる電子クーポンを一意に識別するクーポン識別子、前記広告識別子、及び割引対象の商品を識別するための割引対象商品識別子を含む電子クーポン情報を対応付けて記憶するクーポン識別子マスタ記憶部と、
入力される決済情報に含まれる商品を識別する商品識別子に基づいて決済を行う電子決済部と、
前記携帯端末から受信した前記クーポン識別子に対応する前記電子クーポン情報を前記クーポン識別子マスタ記憶部から読み出す電子クーポン情報読出し部と、
前記電子クーポン情報読出し部が読み出す前記電子クーポン情報に含まれる前記広告識別子に対応する前記広告情報を前記広告情報記憶部から読み出し、読み出した前記広告情報を表示する関連クーポン情報表示部と、
を備える決済装置と、
を備えることを特徴とする電子クーポン決済システム。
【発明の詳細な説明】
【技術分野】
【０００１】
本発明は、主に電子決済における電子クーポンによる割引及び広告表示に関する。
【背景技術】
【０００２】
従来のクーポンによる販売価格割引における決済処理では、紙のクーポンの授受及び紙のクーポンを用いた決済処理をバーコードリーダで読み取るなどの所定の手続きが行われていた。このため、顧客はクーポンを利用することを意識はしていたが、決済時に利用を忘れてしまいクーポンのメリットを十分に享受できないことがあった。また、店舗における店員が紙のクーポンを処理する際に、間違いが発生する問題もあった。この問題を解決するため、クーポンを電子化して決済手段と併せて管理することにより、決済処理を行う際に割引の特典を適用する技術などが提案されている（例えば、特許文献１参照）。
【特許文献１】特開２００２−２４５３０号公報
【発明の開示】
【発明が解決しようとする課題】
【０００３】
しかしながら、特許文献１に開示されているクーポンを電子化した電子クーポンによる割引は、決済時に自動的に販売価格の割引などの処理が行わるため、顧客がクーポンの利用を意識せずに販売価格の割引が行われてしまう。このため、クーポンを提供する企業などにとって、クーポンを提供する意義としての広告効果及び顧客への割引に対する意識付けが低くなってしまうという問題がある。
また、電子クーポンは、決済に用いるクーポンを予め登録しておく必要があり、顧客が別の割引率の高いクーポンを所持していても利用することができないという問題もある。
【０００４】
本発明は、上記問題を解決すべくなされたもので、その目的は、顧客に電子クーポンを提供する企業に対する意識付けをするために、決済時に広告を表示し、且つ、電子クーポンによる自動的な決済処理を行う決済装置及び電子クーポン決済システムを提供することにある。
【課題を解決するための手段】
【０００５】
上記問題を解決するために、本発明は、携帯端末と決済装置を備え、商品購入の際に割引が受けられる電子クーポンを利用した決済を行う電子クーポン決済システムにおける決済装置であって、前記電子クーポンに関連する広告情報と、該広告情報に予め割当てられ、該広告情報を一意に識別する広告識別子とを対応付けて記憶する広告情報記憶部と、前記電子クーポンを一意に識別するクーポン識別子、前記広告識別子、及び割引対象の商品を識別するための割引対象商品識別子を含む電子クーポン情報を対応付けて記憶するクーポン識別子マスタ記憶部と、入力される決済情報に含まれる決済対象の商品を識別する商品識別子に基づいて決済を行う電子決済部と、前記クーポン識別子と、前記携帯端末を一意に識別する携帯端末識別子と、を前記携帯端末から受信するリーダライタ通信部と、前記携帯端末から受信した前記クーポン識別子に対応する前記電子クーポン情報を前記クーポン識別子マスタ記憶部から読み出す電子クーポン情報読出し部と、前記電子クーポン情報読出し部が読み出す前記電子クーポン情報に含まれる前記広告識別子に対応する前記広告情報を前記広告情報記憶部から読出し、読み出した前記広告情報を表示する関連クーポン情報表示部と、を備えることを特徴とする決済装置である。
【０００６】
また、本発明は、上記記載の発明において、前記携帯端末識別子ごとに前記電子クーポンを配布したか否かの情報を記録する携帯端末識別子マスタ記憶部、を備え、前記電子クーポン情報読出し部は、更に、受信した前記携帯端末識別子を用いて前記携帯端末識別子マスタ記憶部から該携帯端末識別子に対応する前記携帯端末に前記電子クーポンを配布したか否かの配布情報を読み出し、読み出した配布情報に基づいて、前記リーダライタ通信部を経由して関連する前記電子クーポンに含まれる前記クーポン識別子を該携帯端末に送信することを特徴とする。
【０００７】
また、本発明は、上記記載の発明において、前記携帯端末から受信する前記クーポン識別子は複数存在し、前記クーポン識別子マスタ記憶部から、受信した前記クーポン識別子に対応する前記電子クーポン情報を取得して最適な前記電子クーポン情報を選択する電子クーポン処理部、を備えることを特徴とする。
【０００８】
また、本発明は、上記記載の発明において、前記電子決済部は、前記電子クーポン処理部が選択する前記電子クーポンに基づき、前記クーポン割引率情報から割引金額を算出し、算出した割引金額を前記決済情報に含まれる決済金額から減ずる処理を行うことを特徴とする。
【０００９】
また、上記問題を解決するために、本発明は、商品購入の際に割引が受けられる電子クーポンを一意に識別するクーポン識別子を記憶する携帯端末と、前記電子クーポンに関連した広告情報と、該広告情報に予め割当てられ、該広告情報を一意に識別する広告識別子とを対応付けて記憶する広告情報記憶部と、商品購入の際に割引が受けられる電子クーポンを一意に識別するクーポン識別子、前記広告識別子、及び割引対象の商品を識別するための割引対象商品識別子を含む電子クーポン情報を記憶するクーポン識別子マスタ記憶部と、を備え、入力される電子決済要求により電子決済を行う決済端末と、を有する電子クーポン決済システムによる電子クーポン決済方法であって、前記携帯端末から前記クーポン識別子を取得するステップと、前記クーポン識別子マスタ記憶部から、取得した前記クーポン識別子に対応する前記広告識別子を取得する電子クーポン処理ステップと、前記電子クーポン処理ステップにより取得した前記広告識別子を用いて、前記広告情報記憶部から前記広告情報を読み出して表示するステップと、を有することを特徴とする電子クーポン決済方法である。
【００１０】
また、上記問題を解決するために、本発明は、商品購入の際に割引が受けられる電子クーポンを一意に識別するクーポン識別子を記憶するクーポン記憶部と、前記クーポン記憶部から前記クーポン識別子を読み出し、読み出した前記クーポン識別子を送信する携帯端末通信部と、を備える携帯端末と、前記携帯端末から前記クーポン識別子を受信するリーダライタ通信部と、前記クーポン識別子に対して、割引の対象となる商品の識別子である割引対象商品識別子と、前記商品の購入価格の割引率を示すクーポン割引率と、前記電子クーポンに関連する広告情報を一意に識別する広告識別子と、を含む電子クーポン情報を記憶するクーポン識別子マスタ記憶部と、前記携帯端末から受信した前記クーポン識別子に対応する前記電子クーポン情報を前記クーポン識別子マスタ記憶部から読み出し、読み出した前記電子クーポン情報を送信する電子クーポン情報読出し部と、を備えるリーダライタ装置と、前記広告識別子に対して前記広告情報を対応付けて記憶する広告情報記憶部と、入力される決済情報に含まれる前記商品の識別子である商品識別子に基づいて決済を行う電子決済部と、前記決済リーダライタ装置の電子クーポン情報読出し部から前記電子クーポン情報を受信し、前記商品識別子と一致する前記割引対象商品識別子を有する前記電子クーポン情報に含まれる前記広告識別子を出力する電子クーポン処理部と、前記電子クーポン処理部が出力した前記広告識別子に対応する前記広告情報を前記広告情報記憶部から読出して表示を行う関連クーポン情報表示部と、を備える決済装置と、を備えることを特徴とする電子クーポン決済システムである。
【００１１】
また、上記問題を解決するために、本発明は、商品購入の際に割引が受けられる電子クーポンを一意に識別するクーポン識別子を記憶するクーポン記憶部と、前記クーポン記憶部から前記クーポン識別子を読み出し、読み出した前記クーポン識別子を送信する携帯端末通信部と、を備える携帯端末と、前記電子クーポンに関連する広告情報と、該広告情報に予め割当てられ、該広告情報を一意に識別する広告識別子と、を対応付けて記憶する広告情報記憶部と、商品購入の際に割引が受けられる電子クーポンを一意に識別するクーポン識別子、前記広告識別子、及び割引対象の商品を識別するための割引対象商品識別子を含む電子クーポン情報を対応付けて記憶するクーポン識別子マスタ記憶部と、入力される決済情報に含まれる商品を識別する商品識別子に基づいて決済を行う電子決済部と、前記携帯端末から受信した前記クーポン識別子に対応する前記電子クーポン情報を前記クーポン識別子マスタ記憶部から読み出す電子クーポン情報読出し部と、前記電子クーポン情報読出し部が読み出す前記電子クーポン情報に含まれる前記広告識別子に対応する前記広告情報を前記広告情報記憶部から読み出し、読み出した前記広告情報を表示する関連クーポン情報表示部と、を備える決済装置と、を備えることを特徴とする電子クーポン決済システムである。
【発明の効果】
【００１２】
この発明によれば、電子クーポンを用いた決済を行う際に、広告情報記憶部に記憶されるテキスト情報、音情報、及び画像情報のいずれかの情報、あるいは、組合せて構成される広告情報のうち、用いた電子クーポンに関連する広告情報を読み出して、関連クーポン情報表示部に表示する構成とした。これにより、電子クーポンを利用した顧客に対して電子クーポンを提供する企業などが広告情報を介して意識付けを行うことができ、電子クーポンを提供する利益を受けることができる。更に、クーポンを利用することにより、顧客に様々な情報の提供を行う機会を提供することが可能となる。
【００１３】
また、この発明によれば、リーダライタ通信部を介して、決済装置が記憶する電子クーポンを携帯端末に送信し、記憶させる構成とした。これにより、電子クーポンを用いた割引を受ける際に、まだ配信を受けていない電子クーポンや、購入した商品に関連するクーポンなどを携帯端末に送信して記憶させる、すなわち、電子クーポンを配ることができる。その結果、顧客に新たなクーポンの利用を促すことが可能となる。
【００１４】
また、この発明によれば、携帯端末から複数のクーポン識別子を受信した場合、クーポン識別子マスタ記憶に記憶される情報に基づいて、最適な電子クーポンを選択する構成とした。これにより、複数の電子クーポンが携帯端末に記憶されていたとき、クーポン識別子マスタ記憶部に記憶される情報を用いて電子クーポンを選択する、例えば、最もクーポン割引率の大きい電子クーポンを適用して決済を行うことが可能となる。
【発明を実施するための最良の形態】
【００１５】
以下、本発明の一実施形態による決済装置及び電子クーポン決済システムを図面を参照して説明する。
図１は、本実施形態による電子クーポン決済システム１を示す概略ブロック図である。電子クーポン決済システム１は、顧客の携帯端末３０との通信に基づいて決済を行う決済装置１０、携帯端末３０と通信を行うリーダライタ装置２０、顧客の所持する決済を行う携帯端末３０、決済全体の管理及び決済装置１０及びリーダライタ装置２０の電源供給開始時に電子クーポンの情報や広告データの情報を配信する決済サーバ装置４０、及び決済装置１０と決済サーバ装置４０を接続するネットワーク５０を有している。
決済装置１０は、ネットワーク５０及びリーダライタ装置２０に接続され、また、電子決済を開始する情報が入力される。リーダライタ装置２０は、携帯端末３０と通信を行い、電子クーポン及び電子決済の授受を行う。
【００１６】
決済装置１０は、決済指示入力部１１、ＦＳＰアプリケーション管理部１２、電子決済部１３、売上げ明細記憶部１４、商品マスタ記憶部１５、関連クーポン情報表示部１６、広告データ記憶部１７、及び決済完了通知部１８を備えている。
【００１７】
決済指示入力部１１は、決済対象となる商品の情報と共に、電子決済を行うことを行うことを示す情報が入力される。ＦＳＰ（Frequent Shoppers Program）アプリケーション管理部１２は、入力される決済対象となる商品情報から電子決済を指示し、電子クーポン含まれる情報に基づいて広告データを再生する指示を行う。電子決済部１３は、ＦＳＰアプリケーション管理部１２から入力される情報に基づいて、商品マスタ記憶部１５に記録されている商品情報に含まれる商品金額を読出し、決済を行い、決済結果を売上げ明細記憶部１４に書き込み、記憶させる。売上げ明細記憶部１４は、電子決済部１３が行った決済の情報が記録される。商品マスタ記憶部１５は、決済対象となる商品の情報が記録される。関連クーポン情報表示部１６は、入力される電子クーポンに含まれるコマーシャルＩＤを用いて、広告データ記憶部１７から広告データを読出して再生する。広告データ記憶部１７は、コマーシャルＩＤごとに対応付けられた広告データが記憶される。決済完了通知部１８は、決済指示入力部１１に決済情報が入力され開始された決済が完了したことを出力する。また、決済完了通知部１８が行う出力は、音、画像、紙への出力などにより決済装置１０を操作する者に決済完了が通知を行う。
【００１８】
リーダライタ装置２０は、決済アプリケーション部２１、ＦＳＰアプリケーション部２２、クーポンＩＤマスタ記憶部２３、携帯端末ＩＤマスタ記憶部２４、及びリーダライタ通信部２５を備えている。
【００１９】
決済アプリケーション部２１は、電子決済開始の指示を受けると、リーダライタ通信部２５を介して携帯端末３０と通信を行い、電子決済処理を行う。リーダライタ通信部２５は、携帯端末３０と非接触の無線通信を行う。ＦＳＰアプリケーション部２２は、電子クーポン情報取得の指示を受けると、リーダライタ通信部２５を介して携帯端末３０に記録されている電子クーポンのクーポンＩＤを取得し、クーポンＩＤマスタ記憶部２３に記憶されている電子クーポンの情報と照会する。また、ＦＳＰアプリケーション部２２は、携帯端末ＩＤを用いて、携帯端末ＩＤマスタ記憶部２４から電子クーポンの配信情報を読み出し、当該携帯端末ＩＤに対応する携帯端末３０に電子クーポンが配布されているか否かを判断する。クーポンＩＤマスタ記憶部２３には、電子クーポンン情報が記憶される。携帯端末ＩＤマスタ記憶部２４には、携帯端末３０に対する電子クーポンの配信情報が記憶される。リーダライタ通信部２５は、決済アプリケーション部２１及びＦＳＰアプリケーション部２２からの指示に従い、携帯端末３０と通信を行う。
【００２０】
携帯端末３０は、携帯端末通信部３１、クーポン記憶部３２、携帯端末ＩＤ記憶部３３、及び携帯端末決済部３４を備えている。
携帯端末通信部３１は、リーダライタ装置２０と通信し、リーダライタ装置２０からの要求に応じて、クーポン記憶部３２に記憶されている電子クーポンのクーポンＩＤを読み出して送信する、あるいは、携帯端末ＩＤ記憶部３３に記憶されている携帯端末３０の識別子を読出して送信する。クーポン記憶部３２には、リーダライタ装置２０から受信した電子クーポンの情報が記録される。携帯端末ＩＤ記憶部３３には、携帯端末３０ごとに割当てられる識別子が記憶される。携帯端末決済部３４は、入力された決済金額情報に基づいて電子決済を行う。
【００２１】
次に、携帯端末ＩＤ記憶部３３に記録される携帯端末ＩＤ、クーポン記憶部３２に記録される取得電子クーポン情報について説明する。図２（ａ）は、携帯端末ＩＤ記憶部３３に記録される携帯端末ＩＤである。携帯端末ＩＤは、携帯端末３０ごとに１つ割当てられる。図２（ｂ）は、クーポン記憶部３２に記録される取得電子クーポン情報に含まれるデータ構成及びデータ例を示す概略図である。図示するように、取得電子クーポン情報は、行と列からなる２次元の表形式のデータであり、クーポンＩＤとクーポン情報の項目の列を有している。取得電子クーポン情報の各行は、電子クーポンごとに存在する。クーポンＩＤは、電子クーポンを識別する識別子である。クーポン情報は、携帯端末３０において、どのような電子クーポンであるかを示すためのテキスト情報である。
【００２２】
続いて、クーポンＩＤマスタ記憶部２３に記憶される電子クーポンマスタ情報、携帯端末ＩＤマスタ記憶部２４に記憶される電子クーポン配信情報について説明する。
図３（ａ）は、クーポンＩＤマスタ記憶部２３に記憶される電子クーポンマスタ情報のデータ構成及びデータ例を示す概略図である。図示するように、電子クーポンマスタ情報は、行と列からなる２次元の表形式のデータであり、クーポンＩＤ、割引対象商品ＩＤ、クーポン割引率、及びコマーシャルＩＤの各項目の列を有している。また、電子クーポンマスタ情報の各行は、クーポンＩＤ、割引対象商品ＩＤ、クーポン割引率、及びコマーシャルＩＤを含む電子クーポンごとに存在する電子クーポン情報である。電子クーポンマスタ情報は、クーポンＩＤにより取得電子クーポン情報と関連付けられ、コマーシャルＩＤにより広告データテーブルと関連付けられる。クーポンＩＤは、電子クーポンを識別する識別子である。割引対象商品ＩＤは、当該電子クーポンにより割引の特典を受けられる商品ＩＤを示す識別子である。クーポン割引率は、当該電子クーポンを適用することにより受けられる販売価格の割引率を示す情報である。コマーシャルＩＤは、当該電子クーポンを適用することにより、決済装置１０に再生される広告データの識別子を示す情報である。
なお、電子クーポンマスタ情報において、電子クーポンに対応付けられる広告データは、例えば、決済対象の商品に関する情報や、決済対象の商品に関連する異なる商品や、電子クーポンを提供する企業や団体などの情報である。すなわち、クーポンＩＤマスタ記憶部２３には、電子クーポンに関連する広告データが対応付けられて記憶される。
【００２３】
図３（ｂ）は、携帯端末ＩＤマスタ記憶部２４に記憶される電子クーポン配信情報のデータ構成及びデータ列を示す概略図である。図示するように、電子クーポン配信情報は、行と列からなる２次元の表形式のデータであり、携帯端末ＩＤと、クーポン配布フラグの各項目の列を有している。また、電子クーポン配信情報の各行は、携帯端末ＩＤごとに存在する。携帯端末ＩＤは、携帯端末３０を識別する識別子である。クーポン配布フラグは、電子クーポンが配布されたか否かを示す２値の配布情報である。
【００２４】
図４は、決済装置１０が記憶する情報である売上げ明細管理テーブル、商品管理テーブル、及び広告データ管理テーブルについて説明する。売上げ明細管理テーブルは、売上げ明細記憶部１４に記憶される情報である。図４（ａ）は、売上げ明細管理テーブルのデータ構成及びデータ列を示す概略図である。図示するように、売上げ明細管理テーブルは、行と列からなる２次元の表形式のデータであり、取引決済ＩＤ、関連クーポンＩＤ、割引後取引決済金額、及び割引金額の各項目の列を有している。また、売上げ明細管理テーブルの各行は、決済装置１０で処理される電子決済ごとに存在する。取引決済ＩＤは、決済を識別する識別子である。関連クーポンＩＤは、当該決済において適用された電子クーポンを示す識別子である。割引後取引決済金額は、電子クーポンのクーポン割引率を適用した販売価格の割引の特典を受けた後の決済金額を示す情報である。割引金額は、適用される電子クーポンのクーポン割引率に応じて決済金額から減額される金額を示す情報である。
【００２５】
商品管理テーブルは、商品マスタ記憶部１５に記憶される情報である。図４（ｂ）は、商品管理テーブルのデータ構成及びデータ列を示す概略図である。図示するように、商品管理テーブルは、列と行からなる２次元の表形式のデータであり、商品ＩＤ、商品名、及び商品金額の各項目の列を有している。また、商品管理テーブルの各行は、商品ごとに存在する。商品ＩＤは、消費印を識別する識別子である。商品名は、商品の名称を示す情報である。商品金額は、商品の販売単価を示す情報である。
【００２６】
広告データ管理テーブルは、広告データ記憶部１７に記憶される情報である。図４（ｃ）は、広告データ管理テーブルのデータ構成及びデータ列を示す概略図である。図示するように、広告データ管理テーブルは、行と列からなる２次元の表形式のデータであり、コマーシャルＩＤと、広告データとの各項目の列を有している。また、この広告データ管理テーブルの各行は、広告データごとに存在する。コマーシャルＩＤは、広告データを識別する識別子である。広告データは、テキスト情報、音情報、又は画像情報のいずれか１つ、あるいは、組合せた情報であり、電子クーポンにより価格割引の特典を受けた顧客に、当該電子クーポンを提供した企業又は団体を顧客に意識させる情報である。また、広告データは、関連クーポン情報表示部１６で再生される。なお、広告データは、企業又は団体についての情報だけでなく、購入された商品に関連する情報であってもよい。
【００２７】
次に、図５は、決済装置１０の動作を示すフローチャートである。この図を用いて、決済装置１０の動作を説明する。
決済装置１０は、決済指示入力部１１から決済対象の商品ＩＤを含む決済指示情報が入力される（ステップＳ１０１）。
【００２８】
決済指示入力部１１は、決死指示情報が入力されると、決済対象の商品ＩＤと共に、決済開始の情報をＦＳＰアプリケーション管理部１２に出力する。ＦＳＰアプリケーション管理部１２は、決済指示入力部１１から決済開始の情報が入力されると、リーダライタ装置２０のＦＳＰアプリケーション部２２にＦＳＰアプリケーションの起動を指示する（ステップＳ１０２）。
【００２９】
ＦＳＰアプリケーション管理部１２は、リーダライタ装置２０のＦＳＰアプリケーション部２２から電子クーポン情報が入力されると、決済対象の商品ＩＤを割引対象商品ＩＤとして含む電子クーポンを選択する。このとき、決済対象の商品ＩＤを含む電子クーポンが複数存在する場合は、クーポン割引率の最も高い最適な電子クーポンを選択する（ステップＳ１０３）。
このように、ＦＳＰアプリケーション管理部１２が電子クーポンを選択することで、顧客は複数の電子クーポンが携帯端末３０に記憶されていたとき、電子クーポンを選択する手間が省ける。
なお、電子クーポンが複数存在する場合、ＦＳＰアプリケーション管理部１２は、最適な電子クーポンの選択としては、割引率の高い電子クーポンを選択する以外に、残りの有効期限が最も短い電子クーポンを選択する、あるいは、特典として受けられる景品が多い電子クーポンを選択するようにしてもよい。この場合、電子クーポン情報には、有効期限や、割引率以外の特典についての情報が含まれることになる。
【００３０】
続いて、ＦＳＰアプリケーション管理部１２は、電子クーポンを選択すると、選択した電子クーポンの情報に含まれるコマーシャルＩＤを関連クーポン情報表示部１６に出力する。関連クーポン情報表示部１６は、ＦＳＰアプリケーション管理部１２からコマーシャルＩＤが入力されると、広告データ記憶部１７に記憶される当該コマーシャルＩＤに対応する広告データを読み出し、読み出した広告データを再生する（ステップＳ１０４）。
なお、広告データの再生については、決済を行う顧客の目に付き易い位置に表示し、顧客に電子クーポンを利用していることの意識付けを行う。また、決済処理の完了に関わらず、広告データは終了するまで再生される。
【００３１】
更に、ＦＳＰアプリケーション管理部１２は、決済対象の商品ＩＤ、及び選択した電子クーポンのクーポン割引率を電子決済部１３に出力し、電子決済部１３に電子決済の開始を指示する。電子決済部１３は、ＦＳＰアプリケーション管理部１２から入力された商品ＩＤから、商品マスタ記憶部１５から決済対象の商品情報を読出して商品金額を取得する。また、電子決済部１３は、取得した商品金額と、入力されたクーポン割引率から割引金額を算出して、商品金額から算出した割引金額を割引いた決済金額を算出する（ステップＳ１０５）。
【００３２】
また、ＦＳＰアプリケーション管理部１２は、リーダライタ装置２０のＦＳＰアプリケーション部２２からＦＳＰアプリケーション完了を受信する（ステップＳ１０６）。
【００３３】
ＦＳＰアプリケーション管理部１２は、ＦＳＰアプリケーション完了を受信すると、電子決済部１３に通知する。電子決済部１３は、リーダライタ装置２０の決済アプリケーション部２１に決済アプリケーション起動の指示、及び算出した決済金額情報を送信する（ステップＳ１０７）。
【００３４】
電子決済部１３は、リーダライタ装置２０の決済アプリケーション部２１から電子決済完了を受信するのに応じて、当該決済の取引決済ＩＤ、適用した電子クーポンのクーポンＩＤ、割引後の決済金額、及び当該電子クーポンを適用したことで割引かれた金額を１つの決済情報として売上げ明細記憶部１４に書き込み、記録させる。更に、電子決済が終了したことを外部に通知するために、ＦＳＰアプリケーション管理部１２を介して、決済完了通知部１８に決済の完了を通知する（ステップＳ１０８）。
なお、ステップＳ１０４、ステップＳ１０５、及びステップＳ１０６は、説明した順序と異なる順序で処理してもよい。
【００３５】
次に、図６は、リーダライタ装置２０の動作を示すフローチャートである。この図を用いて、リーダライタ装置２０の動作を説明する。
リーダライタ装置２０のＦＳＰアプリケーション部２２は、決済装置１０のＦＳＰアプリケーション管理部１２からＦＳＰアプリケーションの起動指示を受信する（ステップＳ２０１）。
【００３６】
ＦＳＰアプリケーション部２２は、決済装置１０からＦＳＰアプリケーションの起動指示を受信すると、リーダライタ通信部２５に携帯端末３０の携帯端末ＩＤの受信を指示する。リーダライタ通信部２５は、携帯端末３０の携帯端末ＩＤ記憶部３３に記憶されている携帯端末ＩＤを要求する信号を送信する（ステップＳ２０２）。
【００３７】
リーダライタ通信部２５は、携帯端末３０の携帯端末通信部３１から当該携帯端末３０の携帯端末ＩＤを受信すると、受信した携帯端末ＩＤをＦＳＰアプリケーション部２２に出力する（ステップＳ２０３）。
続いて、ＦＳＰアプリケーション部２２は、携帯端末３０のクーポン記憶部３２に記憶されている電子クーポンＩＤを全て読み出す指示をリーダライタ通信部２５に出力する。リーダライタ通信部２５は、クーポン記憶部３２に記憶される全ての電子クーポンＩＤを要求する信号を送信する（ステップＳ２０４）
【００３８】
リーダライタ通信部２５は、携帯端末３０の携帯端末通信部３１から当該携帯端末３０のクーポン記憶部３２が記憶する全ての電子クーポンＩＤを受信すると、受信した全ての電子クーポンＩＤをＦＳＰアプリケーション部２２に出力する（ステップＳ２０５）。
続いて、ＦＳＰアプリケーション部２２は、リーダライタ通信部２５から入力された電子クーポンＩＤに一致する電子クーポン情報をクーポンＩＤマスタ記憶部２３から読み出し、読み出した電子クーポン情報を決済装置１０のＦＳＰアプリケーション管理部１２に送信する（ステップＳ２０６）。
【００３９】
また、ＦＳＰアプリケーション部２２は、受信した携帯端末３０の携帯端末ＩＤに一致する電子クーポン配信情報を携帯端末ＩＤマスタ記憶部２４から読出し、読み出した電子クーポン配信情報の配布情報をチェックする。電子クーポンがまだ配布されていない携帯端末である場合、ＦＳＰアプリケーション部２２は、クーポンＩＤマスタ記憶部２３に記憶される電子クーポン情報を読み出して、読み出した電子クーポン情報からクーポンＩＤ及びクーポン情報をリーダライタ通信部２５に出力して、携帯端末３０に送信するように指示する。リーダライタ通信部２５は、ＦＳＰアプリケーション部２２から入力されたクーポンＩＤ及びクーポン情報を携帯端末３０の携帯端末通信部３１に送信して、携帯端末３０に記憶させる（ステップＳ２０７）。
なお、ＦＳＰアプリケーション部２２がクーポンＩＤマスタ記憶部２３から読み出だす電子クーポン情報は、決済対象の商品に関連する商品の電子クーポン情報、決済対象の商品と同じ商品の有効期限が異なる電子クーポン情報などから選択して読み出す。また、クーポンＩＤマスタ記憶部２３から読み出す電子クーポン情報は、携帯端末ＩＤに応じて異なる電子クーポン情報であってもよい。更に、既に電子クーポンの配布を受けている場合、関連する商品の電子クーポン情報や、有効期限の異なる電子クーポン情報が選択されてもよい。
【００４０】
続いて、ＦＳＰアプリケーション部２２は、ＦＳＰアプリケーションの完了を決済装置１０のＦＳＰアプリケーション管理部１２に送信する（ステップＳ２０８）。
【００４１】
決済アプリケーション部２１は、決済装置１０の電子決済部１３からの電子決済要求、及び決済金額情報を受信し、決済アプリケーションを起動する（ステップＳ２０９）。
決済アプリケーション部２１は、受信した決済金額情報をリーダライタ通信部２５に出力する。リーダライタ通信部２５は、決済アプリケーション部２１から入力された決済金額情報を携帯端末３０の携帯端末通信部３１に送信して電子決済を要求する（ステップＳ２１０）。
【００４２】
リーダライタ通信部２５は、携帯端末３０の携帯端末通信部３１から電子決済の完了を示す情報を受信し、電子決済の完了情報を決済アプリケーション部２１に出力する。決済アプリケーション部２１は、リーダライタ通信部２５から入力された電子決済の完了情報を決済装置１０の電子決済部１３に送信し、決済アプリケーションを終了する（ステップＳ２１１）。
【００４３】
次に、図７は、携帯端末３０の動作を示すフローチャートである。この図を用いて、携帯端末３０の動作を説明する。
携帯端末３０の携帯端末通信部３１は、リーダライタ装置２０のリーダライタ通信部２５から携帯端末ＩＤの要求を受信すると、携帯端末通信部３１は、携帯端末ＩＤ記憶部３３から携帯端末ＩＤを読出し、読み出した携帯端末ＩＤをリーダライタ装置２０のリーダライタ通信部２５に送信する（ステップＳ３０１）。
【００４４】
携帯端末通信部３１は、リーダライタ装置２０のリーダライタ通信部２５から電子クーポン情報のクーポンＩＤの要求を受信すると、携帯端末通信部３１は、クーポン記憶部３２からクーポンＩＤを読出し、読み出したクーポンＩＤをリーダライタ装置２０のリーダライタ通信部２５に送信する（ステップＳ３０２）。
【００４５】
携帯端末通信部３１は、リーダライタ装置２０のリーダライタ通信部２５から電子クーポン情報のクーポンＩＤを受信し、受信したクーポンＩＤをクーポン記憶部３２に書き込み、記憶させる。また、携帯端末通信部３１は、電子クーポンの記録が完了したことを示す信号をリーダライタ装置２０に送信する（ステップＳ３０３）。
【００４６】
携帯端末通信部３１は、リーダライタ装置２０のリーダライタ通信部２５から電子決済要求、及び決済金額情報を受信し、受信した決済金額情報を携帯端末決済部３４に出力する。携帯端末決済部３４は、携帯端末通信部３１から入力された決済金額情報を用いて電子決済を行い、決済完了情報を携帯端末通信部３１に出力する。携帯端末通信部３１は、携帯端末決済部３４から入力された決済完了情報をリーダライタ装置２０のリーダライタ通信部２５に送信して決済を完了する（ステップＳ３０４）。
【００４７】
図８及び図９は、本実施形態の電子クーポン決済システム１に含まれる携帯端末３０、リーダライタ装置２０、及び決済装置１０が行う電子クーポン決済の処理過程を示すシーケンス図である。図８及び図９の順に図示されるシーケンス図を用いて電子クーポン決済の処理過程を説明する。なお、図２（ａ）で図示される携帯端末ＩＤが携帯端末ＩＤ記憶部３３に記憶されており、図２（ｂ）で図示される取得電子クーポン情報がクーポン記憶部３２に記憶されているとする。また、図３（ａ）で図示される電子クーポンマスタ情報がクーポンＩＤマスタ記憶部２３に記憶されており、図３（ｂ）で図示される電子クーポン配信情報が携帯端末ＩＤマスタ記憶部２４に記憶されているとする。また、図４（ｂ）で図示される商品管理テーブルが決済装置１０に記憶されており、図４（ｃ）で図示される広告データ管理テーブルが広告データ記憶部１７に記憶されているとする。更に、決済対象となる商品は「ＸＸコーヒー」とする。
【００４８】
決済装置１０は、決済指示入力部１１が、「商品ＩＤ：１３４５４（ＸＸコーヒー）」に対する電子決済指示を受信し（ステップＳ１０１）、ＦＳＰアプリケーション管理部１２が、ＦＳＰアプリケーション起動の指示を送信する（ステップＳ１０２、及びステップＳ４０１）。
【００４９】
リーダライタ装置２０は、ＦＳＰアプリケーション部２２がＦＳＰアプリケーション起動の指示を受信し（ステップＳ２０１）、リーダライタ通信部２５が携帯端末３０の携帯端末ＩＤの要求する信号を送信する（ステップＳ２０２、及びＳ４０２）。
【００５０】
携帯端末３０は、携帯端末通信部３１が計端端末ＩＤの要求を受信し、携帯端末ＩＤ記憶部３３から携帯端末ＩＤ「１２３４５６７８９」を読み出してリーダライタ装置２０に送信する（ステップＳ３０１、及びステップＳ４０３）。
【００５１】
リーダライタ装置２０では、リーダライタ通信部２５が受信した携帯端末ＩＤをＦＳＰアプリケーション部２２に出力すると、ＦＳＰアプリケーション部２２がリーダライタ通信部２５に電子クーポンのクーポンＩＤを読み出す指示を出力する。また、リーダライタ通信部２５が、ＦＳＰアプリケーション部２２から入力された指示により、携帯端末３０に電子クーポンのクーポンＩＤを要求する信号を送信する（ステップＳ２０４、及びステップＳ４０４）。
【００５２】
携帯端末３０では、携帯端末通信部３１がリーダライタ装置２０からクーポンＩＤの要求を受信し、クーポン記憶部３２からクーポンＩＤ「Ｃ００１２３」を読出してリーダライタ装置２０に送信する（ステップＳ３０２、及びステップＳ４０５）。
【００５３】
リーダライタ装置２０では、リーダライタ通信部２５が携帯端末３０から電子クーポンのクーポンＩＤ「Ｃ００１２３」を受信し、受信したクーポンＩＤをＦＳＰアプリケーション部２２に出力する（ステップＳ２０５）。続いて、ＦＳＰアプリケーション部２２が、入力されたクーポンＩＤに一致する電子クーポン情報「クーポンＩＤ：Ｃ００１２３、割引対象商品ＩＤ：１３４５４、クーポン割引率−２０％、コマーシャルＩＤ：ＣＭ００１」をクーポンＩＤマスタ記憶部２３から読出し、読み出した電子クーポン情報を決済装置１０に送信する（ステップＳ２０６、ステップＳ４０６）。
【００５４】
決済装置１０では、ＦＳＰアプリケーション管理部１２が、電子クーポン情報「クーポンＩＤ：Ｃ００１２３、割引対象商品ＩＤ：１３４５４、クーポン割引率−２０％、コマーシャルＩＤ：ＣＭ００１」をリーダライタ装置２０から受信すると、決済対象の商品ＩＤを含む電子クーポンを選択する（ステップＳ１０３）。
【００５５】
続いて、ＦＳＰアプリケーション管理部１２は、選択した電子クーポン情報に含まれるコマーシャルＩＤ「ＣＭ０００１」を関連クーポン情報表示部１６に出力する。関連クーポン情報表示部１６は、入力されたコマーシャルＩＤ「ＣＭ００１」に一致する広告データを広告データ記憶部１７から読出して再生する（ステップＳ１０４）。
【００５６】
また、ＦＳＰアプリケーション管理部１２は、決済対象の商品ＩＤ「１３４５４」、及び選択した電子クーポンのクーポン割引率「−２０％」を電子決済部１３に出力する。電子決済部１３は、入力された商品ＩＤ「１３４５４」を用いて商品マスタ記憶部１５から決済対象の商品情報「商品ＩＤ：１３４５４、商品名：ＸＸコーヒー、商品金額：３００」を読出し、読み出した商品情報の商品金額を取得して割引金額「−６０」を算出する。また、電子決済部１３は、算出した割引金額「−６０」と読み出した商品金額「３００」とから決済金額「２４０」を算出する（ステップＳ１０５）。
【００５７】
リーダライタ装置２０は、決済装置１０に電子クーポン情報を送信した後に、ＦＳＰアプリケーション部２２が、受信した携帯端末ＩＤ「１２３４５６７８９」を用いて、携帯端末ＩＤマスタ記憶部２４から当該携帯端末ＩＤに対する電子クーポンの配布情報「０」を読み出す。当該携帯端末３０は、電子クーポンがまだ配布されていない場合、ＦＳＰアプリケーション部２２は、クーポンＩＤマスタ記憶部２３から電子クーポン情報「クーポンＩＤ：Ｃ００１０２、割引対象商品ＩＤ：１３４５４、クーポン割引率：−１０％、コマーシャルＩＤ：ＣＭ００１」を読み出してリーダライタ通信部２５にクーポンＩＤ「Ｃ００１０２」を出力する。リーダライタ通信部２５は、入力された電子クーポン情報「Ｃ００１０２」を携帯端末３０に送信する（ステップＳ２０７、及びステップＳ４０７）。当該携帯端末３０に電子クーポンが既に配布されていた場合、ステップＳ２０８の動作を行う。
【００５８】
携帯端末３０では、携帯端末通信部３１は、リーダライタ装置２０から電子クーポン「Ｃ００１０２」を受信すると、受信した電子クーポン「Ｃ００１０２」をクーポン記憶部３２に書き込み、記憶させる。また、携帯端末通信部３１は、記録を示す信号をリーダライタ装置２０に送信する（ステップＳ３０３、及びステップＳ４０８）。
【００５９】
リーダライタ装置２０では、リーダライタ通信部２５が、新たな電子クーポン配布の完了信号を受信すると、ＦＳＰアプリケーション部２２に通知する。ＦＳＰアプリケーション部２２は、ＦＳＰアプリケーションの完了を決済装置１０に送信する（ステップＳ２０８、及びステップＳ４０９）。
【００６０】
決済装置１０では、ＦＳＰアプリケーション管理部１２が、リーダライタ装置２０からＦＳＰアプリケーション完了を受信する（ステップＳ１０６）と、電子決済部１３にその旨を通知する。電子決済部１３は、リーダライタ装置２０に決済アプリケーション起動の指示を送信する（ステップＳ１０７、及びステップＳ４１０）。
【００６１】
リーダライタ装置２０では、決済アプリケーション部２１が、決済装置１０から決済アプリケーション起動の指示を受信して（ステップＳ２０９）、決済アプリケーション起動の指示と共に受信した決済金額情報「２４０」と決済指示情報とをリーダライタ通信部２５に出力する。リーダライタ通信部２５は、入力された決済金額情報「２４０」と決済指示情報とを携帯端末３０に送信する（ステップＳ２１０、及びステップＳ４１１）。
【００６２】
携帯端末３０では、携帯端末通信部３１が決済金額情報「２４０」と決済指示情報とを受信し、受信した決済金額情報と決済指示情報とを携帯端末決済部３４に出力する。携帯端末決済部３４は、入力された決済金額情報と決済指示情報とを用いて決済処理をして、決済処理の完了を示す信号を携帯端末通信部３１に出力する。携帯端末通信部３１は、入力された決済完了信号をリーダライタ装置２０に送信する（ステップＳ３０４、及びステップＳ４１２）。
【００６３】
リーダライタ装置２０では、リーダライタ通信部２５が、携帯端末３０から決済完了信号を受信し、受信した決済完了信号を決済アプリケーション部２１に出力する。決済アプリケーション部２１は、リーダライタ通信部２５から決済完了信号が入力されると、決済アプリケーションを終了して、決済完了信号を決済装置１０に送信する（ステップＳ２１１、及びステップＳ４１３）。
【００６４】
決済装置１０では、電子決済部１３が、リーダライタ装置２０から決済完了信号を受信して、当該決済の取引済ＩＤ「Ｔ０７０４５３２１」、適用した電子クーポンのクーポンＩＤ「Ｃ００１２３」、割引後の決済金額「２４０」、及び当該電子クーポンを適用したことで割引かれた金額「６０」を１つの決済情報として売上げ明細記憶部１４に書き込み、記録させる。また、電子決済部１３は、電子決済が完了したことを外部に通知する要求をＦＳＰアプリケーション管理部１２に出力する。ＦＳＰアプリケーション管理部１２は、入力された通知要求を決済完了通知部１８に出力する。決済完了通知部１８は、通知用が入力されると外部に通知を行う（ステップＳ１０８）。
【００６５】
以上の電子クーポン決済システム１の動作により、電子クーポンで割引の特典を受けた際に、電子クーポンに応じた広告データが再生される。これにより、電子クーポンによる割引の特典を受けた顧客は、電子クーポンを提供した企業などを意識することになる。更に、企業は、電子クーポンを提供することにより、顧客に意識付けを行う機会を得ることが可能となる。
【００６６】
なお、本実施形態においては、決済装置１０、及びリーダライタ装置２０が異なる装置である構成を示したが、同一の装置で構成してもよい。
また、本実施形態の構成では、決済対象商品の商品ＩＤが含まれる電子クーポンが複数ある場合、ＦＳＰアプリケーション管理部１２がいずれの電子クーポンを使用するか選択したが、ＦＳＰアプリケーション部２２が選択を行ってもよい。そのとき、ＦＳＰアプリケーション管理部１２は、ＦＳＰアプリケーション部２２に決済対象商品の商品ＩＤを送信することになる。
【００６７】
上述の決済装置１０及びリーダライタ装置２０は内部に、コンピュータシステムを有している。そして、上述した電子クーポン決済の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６８】
なお、本発明に記載の電子クーポン情報読出し部は、ＦＳＰアプリケーション部２２に対応し、本発明に記載の電子クーポン処理部は、ＦＳＰアプリケーション管理部１２に対応する。また、本発明に記載の広告情報は、広告データに対応し、本発明に記載の広告識別子は、コマーシャルＩＤに対応し、本発明に記載の広告情報記憶部は、広告データ記憶部１７に対応する。また、本発明に記載のクーポン識別子は、クーポンＩＤに対応し、本発明に記載の商品識別子は、商品ＩＤに対応し、本発明に記載のクーポン識別子マスタ記憶部は、クーポンＩＤマスタ記憶部２３に対応する。また、本発明に記載の携帯端末識別子は、携帯端末ＩＤに対応し、本発明に記載の携帯端末識別子マスタ記憶部は、携帯端末ＩＤマスタ記憶部２４に対応する。
【図面の簡単な説明】
【００６９】
【図１】本実施形態による電子クーポン決済システム１を示すブロック図である。
【図２】同実施形態における携帯端末が記憶する情報を示す図である。
【図３】同実施形態におけるリーダライタ装置が記憶する情報を示す図である。
【図４】同実施形態における決済装置が記憶する情報を示す図である。
【図５】同実施形態における決済装置の動作を示すフローチャートである。
【図６】同実施形態におけるリーダライタ装置の動作を示すフローチャートである。
【図７】同実施形態における携帯端末の動作を示すフロー茶とである。
【図８】同実施形態における電子クーポン決済システムの動作を示すシーケンス図である。
【図９】同実施形態における電子クーポン決済システムの動作を示すシーケンス図である。
【符号の説明】
【００７０】
１…電子クーポン決済システム
１０…決済装置、１１…決済指示入力部、１２…ＦＳＰアプリケーション管理部
１３…電子決済部、１４…売上げ明細記憶部、１５…商品マスタ記憶部
１６…関連クーポン情報表示部、１７…広告データ記憶部、１８…決済完了通知部
２０…リーダライタ装置、２１…決済アプリケーション部
２２…ＦＳＰアプリケーション部、２３…クーポンＩＤマスタ記憶部
２４…携帯端末ＩＤマスタ記憶部、２５…リーダライタ通信部
３０…携帯端末、３１…携帯端末通信部、３２…クーポン記憶部
３３…携帯端末ＩＤ記憶部、３４…携帯端末決済部
【図１】
0005002512.tif 000002
【図２】
0005002512.tif 000003
【図３】
0005002512.tif 000004
【図４】
0005002512.tif 000005
【図５】
0005002512.tif 000006
【図６】
0005002512.tif 000007
【図７】
0005002512.tif 000008
【図８】
0005002512.tif 000009
【図９】
0005002512.tif 000010